(57)【特許請求の範囲】
【請求項１】
キャリアアグリゲーションシナリオに用いられるキャリアの最大パワーの報告方法であって、それは
ユーザー設備（UE）がアクティブ化されたアップリンクコンポーネントキャリア（UL CC）の特定のパワーヘッドルーム（PH）及びアクティブ化されたUL CCの物理チャネルの特定の最大出力パワーを同じパワーヘッドルーム報告（PHR）にカプセル化し、基地局（eNB）に報告することを含み、
前記UEがアクティブ化されたUL CCの特定のPH及びアクティブ化されたUL CCの物理チャネルの特定の最大出力パワーを同じPHRにカプセル化してeNBに報告するステップは前記UEがすべてのアクティブ化されたUL CCの物理チャネルの特定の最大出力パワーを報告することを含む、
前記UL CCが所在するセルはプライマリセルとセコンダリセルを含み、
前記UEがすべてのアクティブ化されたUL CCの物理チャネルの特定の最大出力パワーを報告するステップは、
前記UEはプライマリセル内においてアクティブ化されたUL CCに対して、物理アップリンク制御チャネル（PUCCH）と物理アップリンク共有チャネル（PUSCH）が同時に伝送する伝送モード下で、前記UL CCのタイプ1 PHを計算するための物理チャネルの最大出力パワーと前記UL CCのタイプ2 PHを計算するための物理チャネルの最大出力パワーを報告し、PUCCHとPUSCHが時分割に伝送する伝送モード下で、前記UL CCのタイプ1PHを計算するための物理チャネルの最大出力パワーを報告することと、
前記UEはセコンダリセル内にアクティブ化されたUL CCに対し、PUCCHとPUSCHが同時に伝送する或は時分割に伝送する伝送モード下で、前記UL CCのタイプ1 PHを計算するための物理チャネルの最大出力パワーを報告することとを含むキャリアアグリゲーションシナリオに用いられるキャリアの最大パワーの報告方法。
【請求項２】
前記UEはアクティブ化されたUL CCの特定のPH、及びアクティブ化されたUL CCの物理チャネルの特定の最大出力パワーを同じPHRにカプセル化してeNBに報告するステップは、前記UEが前記PHRをカプセル化する時、それぞれに各UL CCの物理チャネルの特定の最大出力パワーを前記各UL CCの特定のPH後にカプセル化することを含む請求項1に記載の方法。
【請求項３】
前記UEは更に前記PHRにおいてセル状態の指示情報をカプセル化し、プライマリセルの伝送モード、及び/又はセコンダリセルがアクティブ化状態にあるかどうかを指示することに用いられ、
前記伝送モードはPUCCHとPUSCHとの同時伝送モード及びPUCCHとPUSCHとの時分割伝送モードを含む請求項1に記載の方法。
【請求項４】
キャリアアグリゲーションシナリオに用いられるキャリアの最大パワーの報告方法であって、それは
ユーザー設備（UE）がアクティブ化されたアップリンクコンポーネントキャリア（UL CC）の特定のパワーヘッドルーム（PH）及びアクティブ化されたUL CCの物理チャネルの特定の最大出力パワーを同じパワーヘッドルーム報告（PHR）にカプセル化し、基地局（eNB）に報告することを含み、
前記UEがアクティブ化されたUL CCの特定のPH、及びアクティブ化されたUL CCの物理チャネルの特定の最大出力パワーを同じPHRにカプセル化してeNBに報告するステップは、前記UEがすべてのアクティブ化されたUL CCにおけるデータスケジューリングがある物理チャネルの最大出力パワーを報告することを含み、
前記UL CCが所在するセルはプライマリセルとセコンダリセルを含み、
前記UEがデータスケジューリングがあるUL CCの物理チャネルの最大出力パワーを報告するステップは、
前記UEはプライマリセル内にアクティブ化されたUL CCに対して、PUCCHとPUSCHが同時に伝送する伝送モード下で、もし前記UL CCにおいてPUSCH及び/又はPUCCHが存在すれば、前記UL CCのタイプ1 PHを計算するための物理チャネルの最大出力パワーと前記UL CCのタイプ2 PHを計算するための物理チャネルの最大出力パワーを報告し、PUCCHとPUSCHが時分割に伝送する伝送モード下で、もし前記UL CCにおいてPUSCHが存在すれば、前記UL CCのタイプ1 PHを計算するための物理チャネルの最大出力パワーを報告することと、
前記UEはセコンダリセル内にアクティブ化されたUL CCに対して、PUCCHとPUSCHが同時に伝送する或は時分割に伝送する伝送モード下で、もし前記UL CCにおいてPUSCHが存在すれば、前記UL CCのタイプ1 PHを計算するための物理チャネルの最大出力パワーを報告することとを含むキャリアアグリゲーションシナリオに用いられるキャリアの最大パワーの報告方法。
【請求項５】
前記UEは更に前記PHRにおいてセル状態の指示情報をカプセル化し、プライマリセルの伝送モード、及び/又はセコンダリセルがアクティブ化状態にあるかどうかを指示することに用いられ、
前記伝送モードはPUCCHとPUSCHとの同時伝送モード及びPUCCHとPUSCHとの時分割伝送モードを含む請求項4に記載の方法。
【請求項６】
キャリアアグリゲーションシナリオに用いられるキャリアの最大パワーの報告方法であって、それは
ユーザー設備（UE）がアクティブ化されたアップリンクコンポーネントキャリア（UL CC）の特定のパワーヘッドルーム（PH）及びアクティブ化されたUL CCの物理チャネルの特定の最大出力パワーを同じパワーヘッドルーム報告（PHR）にカプセル化し、基地局（eNB）に報告することを含み、
前記UEがアクティブ化されたUL CCの特定のPH、及びアクティブ化されたUL CCの物理チャネルの特定の最大出力パワーを同じPHRにカプセル化してeNBに報告するステップは、前記UEがすべてのアクティブ化されたUL CCにおけるデータスケジューリングがある物理チャネルの最大出力パワーを報告することを含み、
前記UL CCが所在するセルはプライマリセルとセコンダリセルを含み、
前記UEがデータスケジューリングがあるUL CCの物理チャネルの最大出力パワーを報告するステップは、
前記UEはプライマリセル内にアクティブ化されたUL CCに対して、PUCCHとPUSCHが同時に伝送する伝送モード下で、もし前記UL CCにおいてPUSCHとPUCCHが存在すれば、前記UL CCのタイプ1 PHを計算するための物理チャネルの最大出力パワーと前記UL CCのタイプ2 PHを計算するための物理チャネルの最大出力パワーを報告し、もし前記UL CCにおいてPUSCH伝送のみがあれば、前記UL CCのタイプ1 PHを計算するための物理チャネルの最大出力パワーのみを報告し、もし前記UL CCにおいてPUCCH伝送のみがあれば、前記UL CCのタイプ2 PHを計算するための物理チャネルの最大出力パワーのみを報告し、PUCCHとPUSCHが時分割に伝送する伝送モード下で、もし前記UL CCにおいてPUSCHが存在すれば、前記UL CCのタイプ1 PHを計算するための物理チャネルの最大出力パワーを報告することと、
前記UEはセコンダリセル内にアクティブ化されたUL CCに対して、PUCCHとPUSCHが同時に伝送する或は時分割に伝送する伝送モード下で、もし前記UL CCにおいてPUSCHが存在すれば、前記UL CCのタイプ1 PHを計算するための物理チャネルの最大出力パワーを報告することとを含むキャリアアグリゲーションシナリオに用いられるキャリアの最大パワーの報告方法。
【請求項７】
前記方法は、
前記UEは更に前記PHRにおいてセル状態の指示情報をカプセル化し、プライマリセルの伝送モード、及び/又はセコンダリセルがアクティブ化状態にあるかどうかを指示することに用いられることと、
前記伝送モードはPUCCHとPUSCHとの同時伝送モード及びPUCCHとPUSCHとの時分割伝送モードを含むこととを更に含む請求項6に記載の方法。
【請求項８】
キャリアアグリゲーションシナリオに用いられるキャリアの最大パワーの報告装置であって、前記装置は処理モジュールと送信モジュールを含み、
前記処理モジュールはアクティブ化されたアップリンクコンポーネントキャリア（UL CC）の特定のパワーヘッドルーム（PH）及びアクティブ化されたUL CCの物理チャネルの特定の最大出力パワーを同じパワーヘッドルーム報告（PHR）にカプセル化するように設置され、
前記送信モジュールは前記PHRを送信するように設置され、
前記処理モジュールはすべてのアクティブ化されたUL CCの物理チャネルの特定の最大出力パワーを前記PHRにカプセル化するように設置され、
前記UL CCが所在するセルはプライマリセルとセコンダリセルを含み、
前記処理モジュールは、
プライマリセル内にアクティブ化されたUL CCに対して、物理アップリンク制御チャネル（PUCCH）と物理アップリンク共有チャネル（PUSCH）が同時に伝送する伝送モード下で、前記UL CCのタイプ1 PHを計算するための物理チャネルの最大出力パワーと前記UL CCのタイプ2 PHを計算するための物理チャネルの最大出力パワーを前記PHRにカプセル化し、PUCCHとPUSCHが時分割に伝送する伝送モード下で、前記UL CCのタイプ1PHを計算するための物理チャネルの最大出力パワーを前記PHRにカプセル化し、
セコンダリセル内にアクティブ化されたUL CCに対して、PUCCHとPUSCHが同時に伝送する或は時分割に伝送する伝送モード下で、前記UL CCのタイプ1PHを計算するための物理チャネルの最大出力パワーを前記PHRにカプセル化する
方式ですべてのアクティブ化されたUL CCの物理チャネルの特定の最大出力パワーを前記PHRにカプセル化するように設置されるキャリアアグリゲーションシナリオに用いられるキャリアの最大パワーの報告装置。
【請求項９】
前記処理モジュールは前記PHRをカプセル化する時、それぞれに各UL CCの物理チャネルの特定の最大出力パワーを前記各UL CCの特定のPHの後にカプセル化するように設置される請求項8に記載の装置。
【請求項１０】
前記処理モジュールは更に、前記PHRにおいてセル状態の指示情報をカプセル化して、プライマリセルの伝送モード、及び/又はセコンダリセルがアクティブ化状態にあるかどうかを指示することに用いられるように設置され、
前記伝送モードはPUCCHとPUSCHが同時に伝送するモード及びPUCCHとPUSCHが時分割に伝送するモードを含む請求項8に記載の装置。
【請求項１１】
キャリアアグリゲーションシナリオに用いられるキャリアの最大パワーの報告装置であって、前記装置は処理モジュールと送信モジュールを含み、
前記処理モジュールはアクティブ化されたアップリンクコンポーネントキャリア（UL CC）の特定のパワーヘッドルーム（PH）及びアクティブ化されたUL CCの物理チャネルの特定の最大出力パワーを同じパワーヘッドルーム報告（PHR）にカプセル化するように設置され、
前記送信モジュールは前記PHRを送信するように設置され、
前記処理モジュールはすべてのアクティブ化されたUL CCにおけるデータスケジューリングがある物理チャネルの最大出力パワーを前記PHRにカプセル化するように設置され、
前記UL CCが所在するセルはプライマリセルとセコンダリセルを含み、
前記処理モジュールは、
プライマリセル内にアクティブ化されたUL CCに対して、PUCCHとPUSCHが同時に伝送する伝送モード下で、もし前記UL CCにおいてPUSCH及び/又はPUCCHが存在すれば、前記UL CCのタイプ1 PHを計算するための物理チャネルの最大出力パワーと前記UL CCのタイプ2 PHを計算するための物理チャネルの最大出力パワーを前記PHRにカプセル化し、PUCCHとPUSCHが時分割に伝送する伝送モード下で、もし前記UL CCにおいてPUSCHが存在すれば、前記UL CCのタイプ1 PHを計算するための物理チャネルの最大出力パワーを前記PHRにカプセル化し、
セコンダリセル内にアクティブ化されたUL CCに対して、PUCCHとPUSCHが同時に伝送する或は時分割に伝送する伝送モード下で、もし前記UL CCにおいてPUSCHが存在すれば、前記UL CCのタイプ1 PHを計算するための物理チャネルの最大出力パワーを前記PHRにカプセル化する
方式ですべてのアクティブ化されたUL CCにおけるデータスケジューリングがある物理チャネルの最大出力パワーを前記PHRにカプセル化するように設置されるキャリアアグリゲーションシナリオに用いられるキャリアの最大パワーの報告装置。
【請求項１２】
前記処理モジュールは更に、前記PHRにおいてセル状態の指示情報をカプセル化して、プライマリセルの伝送モード、及び/又はセコンダリセルがアクティブ化状態にあるかどうかを指示することに用いられるように設置され、
前記伝送モードはPUCCHとPUSCHが同時に伝送するモード及びPUCCHとPUSCHが時分割に伝送するモードを含む請求項11に記載の装置。
【請求項１３】
キャリアアグリゲーションシナリオに用いられるキャリアの最大パワーの報告装置であって、前記装置は処理モジュールと送信モジュールを含み、
前記処理モジュールはアクティブ化されたアップリンクコンポーネントキャリア（UL CC）の特定のパワーヘッドルーム（PH）及びアクティブ化されたUL CCの物理チャネルの特定の最大出力パワーを同じパワーヘッドルーム報告（PHR）にカプセル化するように設置され、
前記送信モジュールは前記PHRを送信するように設置され、
前記処理モジュールはすべてのアクティブ化されたUL CCにおけるデータスケジューリングがある物理チャネルの最大出力パワーを前記PHRにカプセル化するように設置され、
前記UL CCが所在するセルはプライマリセルとセコンダリセルを含み、
前記処理モジュールは、
プライマリセル内にアクティブ化されたUL CCに対して、PUCCHとPUSCHが同時に伝送する伝送モード下で、もし前記UL CCにおいてPUSCHとPUCCHが存在すれば、前記UL CCのタイプ1PHを計算するための物理チャネルの最大出力パワーと前記UL CCのタイプ2 PHを計算するための物理チャネルの最大出力パワーを前記PHRにカプセル化し、もし前記UL CCにおいてPUSCH伝送のみがあれば、前記UL CCのタイプ1 PHを計算するための物理チャネルの最大出力パワーを前記PHRにカプセル化し、もし前記UL CCにおいてPUCCH伝送のみがあれば、前記UL CCのタイプ2 PHを計算するための物理チャネルの最大出力パワーを前記PHRにカプセル化し、PUCCHとPUSCHが時分割に伝送する伝送モード下で、もし前記UL CCにおいてPUSCHが存在すれば、前記UL CCのタイプ1 PHを計算するための物理チャネルの最大出力パワーを前記PHRにカプセル化し、
前記UEはセコンダリセル内にアクティブ化されたUL CCに対して、PUCCHとPUSCHが同時に伝送する或は時分割に伝送する伝送モード下で、もし前記UL CCにおいてPUSCHが存在すれば、カプセル化されたものは前記UL CCのタイプ1 PHを計算するための物理チャネルの最大出力パワーである
方式ですべてのアクティブ化されたUL CCにおけるデータスケジューリングがある物理チャネルの最大出力パワーを前記PHRにカプセル化するように設置されるキャリアアグリゲーションシナリオに用いられるキャリアの最大パワーの報告装置。
【請求項１４】
前記処理モジュールは更に、前記PHRにおいてセル状態の指示情報をカプセル化して、プライマリセルの伝送モード、及び/又はセコンダリセルがアクティブ化状態にあるかどうかを指示することに用いられるように設置され、
前記伝送モードはPUCCHとPUSCHが同時に伝送するモード及びPUCCHとPUSCHが時分割に伝送するモードを含む請求項13に記載の装置。
【発明の詳細な説明】
【技術分野】
【０００１】
本発明は移動通信システムにおける高級ロングタームエボリューション技術に関し、特に高級ロングタームエボリューション技術におけるキャリアアグリゲーションシナリオに用いられるキャリアの最大パワーの報告方法及び装置に関する。
【背景技術】
【０００２】
ロングタームエボリューション(long term evolution、LTEと略称する)は第3世代パートナーシッププロジェクト（The 3rd Generation Partnership Project、3GPPと略称する）が開発した先進的な広帯域無線アクセス技術であり、最高20Mの単一キャリア帯域幅をサポートでき、50M bpsのアップリンクレートと100Mbpsのダウンリンクレートに達し、しかも低遅延を有し、すでに第四世代移動通信の特徴を具備し、ビヨンド3G(Beyond 3G)の技術である。LTE標準の上に、3GPPは高級ロングタームエボリューション(long term evolution advanced、LTE-Aと略称する)を発展し、キャリアアグリゲーション、より高次の多入力多出力（Multiple-Input Multiple-Out-put、MIMOと略称する）、中継、協調マルチポイント処理（comp）等のシリーズの技術を開発し、国際電気通信連合−無線通信部門（ITU-R）の高級国際移動通信（IMT-ADVANCED）が定義した第四世代移動通信システムの要求を満たすようにし、例えば500bpsのアップリンクレート、1Gbpsのダウンリンクレートがある。キャリアアグリゲーション(Carrier Aggregation、CA)は同じ周波数帯域（band）或は異なるbandに位置する周波数帯域のセクションを収集することにより、より高いスループット（throughput）をサポートし、キャリアアグリゲーションのREL-10バージョン下で、異なるキャリアはすべてLTEのREL-8/REL-9に互換性があり、即ち完備な機能を有するセルである。その中に、一つのキャリアが所在するセルをプライマリセル(Primary cell、Pcell)と称し、他のセルをセコンダリセル(Secondary cell、Scell)と称する。PcellとScellは以下のように区別されます。Pcellは無線リソース制御（Radio Resource Control 、RRC）接続の確立を担当し、安全パラメーターを担当し、呼出メッセージの受信を担当し、システム情報の更新を担当し、他のセルのキャリアをスケジューリングすることを担当し、アップリンクフィードバックの伝送を担当すること等の特殊な機能を有し、Scellの機能は比較的に単一であり、Pcellを補助して通信タスクを完成する周波数帯域リソースと見なされるが、一定の独立性も有し、独立にスケジューリングシグナリングを受信すること、独立にパワー制御を行うこと等を含む。Pcellの特殊性のために、UEが無線リソース制御−接続状態（RRC-connected）にある場合、Pcellは永久にアクティブ化され（activated）、即ち、UEとeNBはいずれもタイムリーにそれを使用できることに対し、Scellは補助セルとして、ある時間セグメント内に、アップリンク／ダウンリンクの伝送が発生していなく、これらの時間セグメント内に、Scellは非アクティブ化（deactivated）状態にある。LTE/LTE-A UEが使用する時間周波数リソースは全部eNBがスケジューリングするものであるので、eNBがUEの情報を取得することで、正確なアップリンク時間周波数リソースのスケジューリングを行う必要があり、その同時に、eNBは正確なアップリンクパワー制御を行うように、UEの情報も必要であり、それによって、UEが目標QoSに達し、及び一定の程度にLTE/LTE-Aの同一周波数のセル間干渉の問題を減少させ、UEの情報はサウンディングリファレンスシグナル(Sounding Reference Signal、SRS)及びパワーヘッドルーム報告（Power Headromm report、PHR）等のパワー余裕の情報等を含み、前者はアップリンクキャリアのチャネル品質を反映し、後者はアップリンクキャリアのパワー余裕を反映する。eNBはチャネル品質に応じてスケジューリングの時間周波数ブロックの位置を選択可能で、パワー余裕に応じて、スケジューリングの時間周波数ブロックの数量、変調フォーマット等を選択可能である。REL-8/REL-9規範において、ユーザー設備はPHRをトリガーすれば、且つ送信条件を満たすと、UEはPHR MAC CEを送信する必要がある。REL-10規範において、もしScellが非アクティブ化状態にある場合、UEは該ScellのためにPHRを報告する必要がない。従って、ユーザー設備のトリガーイベントはREL-8/REL-9のトリガーイベント及びアクティブイベントを含む。即ち、もしUEは周期PHRタイマーが満了する時、或はもしコンポーネントキャリアのパスロスの変化が比較的に大きくすれば、或はPHR配置/再配置の時PHR報告をトリガーし、或は当該Scellがアクティブ化される時、即ち該Scellが非アクティブ化状態からアクティブ化状態に変更する時、PHRがトリガーされ、UEは十分なアップリンクリソースを取得した後、PHRが送信される。キャリアアグリゲーションの原因のために、且つ各Scellが独立したパワー制御過程を使用するので、各ScellはそれぞれにPHを報告する。キャリアアグリゲーションのUEのアップリンクプライマリコンポーネントキャリア（Up-Link Primary Component Carrier、UL PCC）は物理アップリンク制御チャネル(physical uplink control channel、PUCCH)と物理アップリンク共有チャネル(Physical uplink shared channel、PUSCH)に対する送信は二種類の可能なモードがある。(1)モード（mode）1：PUCCHとUL PCCとのPUSCHが時分割に送信し、REL-8/REL-9と同じである。(2)modeモード2：PUCCHとアップリンクセコンダリコンポーネントキャリア（Up-Link Secondary Component Carrier、UL SCC）とのPUSCHが同時に送信する。モード1に対して、PHRが送信する時、UL PCCとUL SCCを問わず、Type1 PHRのみを報告する必要がある。Type1 PHRはUL PCCの総パワーからPUSCHチャネルの送信パワーを減算するというものであると定義づけられ、例えば、
Type1 PHR：PH1=Pcmaxc-Ppusch    公式（formula）1である。
【０００３】
モード2について、PHRが送信する時、UL SCCにとって、Type1 PHRのみを送信する必要があり、UL PCCにとって、UEはType1 PHRとType2 PHRを報告する必要がある。Type2 PHR はUL PCCの総パワーからPUSCHチャネルの送信パワーとPUCCHチャネルの送信パワーを減算するというものであると定義づけられ、例えば：
Type2 PHR: PH1=Pcmaxc-Ppucch-Ppusch    公式2である。
その中に、PcmaxcはUL PCCの最大出力パワーであり、PpucchはUL PCCのPUCCH送信パワーであり、PpuschはUL PCCのPUSCH送信パワーである。
【０００４】
PHRが送信する時、アクティブ化されたScellにおいてアップリンク送信がないため、UEは該Scellにバーチャル PHRを送信し、該バーチャルPHRは参照形式のPUSCHフォーマットを使用する。もしPcellにおいてアップリンク送信がなければ、UEはPcellにバーチャル type1 PHRを送信し、即ち該type1 PHRが参照形式のPUSCHフォーマットを使用し、もしPcellにおいてPUCCHがなければ、バーチャル type2 PHRを送信する必要があり、該type2 PHRは参照形式のPUCCHフォーマットを使用し、この二種類の参照フォーマットは既に定義づけられ、3GPP 36.321シリーズの標準を参照することが可能である。
【０００５】
公式1と公式2におけるPcmaxはセルの特定の最大パワーであり、UEのRF特性の規範及びセルの規定の最大パワーと関わりがある。その中に、UEはセルの規定の最大パワーを超えてはいけない。UEのRF特性はMPRとA-MPR等のパワー拘束条件を含む。最大パワー低減（Maximum Power Reduction、MPRと略称する）と追加最大パワー低減（Addtitional-Maximum Power Reduction、A-MPRと略称する）等は異なるスケジューリングにつれて変化が発生し、Pcmaxも変化することを引き起こし、UEはPcmaxをeNBに通知する必要があり、eNBにUEのパワー状況を知らせることができるようにし、より正確にスケジューリングを行うことに便利である。しかし、いかにキャリアアグリゲーションシナリオのキャリアの最大パワーを報告することについて、まだ、解決案がない。
【発明の概要】
【発明が解決しようとする課題】
【０００６】
本発明が解決しようとする問題はキャリアアグリゲーションシナリオに用いられるキャリアの最大パワーの報告方法と装置を提供し、eNBにタイムリーにUEのパワー状況を知らせることである。
【課題を解決するための手段】
【０００７】
前記技術問題を解決するために、本発明はキャリアアグリゲーションシナリオに用いられるキャリアの最大パワーの報告方法を提供し、それは
ユーザー設備（UE）がアクティブ化されたアップリンクコンポーネントキャリア（UL CC）の特定のパワーヘッドルーム（PH）及びアクティブ化されたUL CCの物理チャネルの特定の最大出力パワーを同じパワーヘッドルーム報告（PHR）にカプセル化し、基地局（eNB）に報告することを含む。
【０００８】
前記方法は更に、
前記UEがアクティブ化されたUL CCの特定のPH及びアクティブ化されたUL CCの物理チャネルの特定の最大出力パワーを同じPHRにカプセル化してeNBに報告するステップは前記UEがすべてのアクティブ化されたUL CCの物理チャネルの特定の最大出力パワーを報告することを特徴としてもよい。
【０００９】
前記方法は更に、
前記UL CCが所在するセルはプライマリセルとセコンダリセルを含み、
前記UEがすべてのアクティブ化されたUL CCの物理チャネルの特定の最大出力パワーを報告するステップは、
前記UEはプライマリセル内においてアクティブ化されたUL CCに対して、物理アップリンク制御チャネル（PUCCH）と物理アップリンク共有チャネル（PUSCH）が同時に伝送する伝送モード下で、前記UL CCのタイプ1 PHを計算するための物理チャネルの最大出力パワーと前記UL CCのタイプ2 PHを計算するための物理チャネルの最大出力パワーを報告し、PUCCHとPUSCHが時分割に伝送する伝送モード下で、前記UL CCのタイプ1PHを計算するための物理チャネルの最大出力パワーを報告し、
前記UEはセコンダリセル内にアクティブ化されたUL CCに対し、PUCCHとPUSCHが同時に伝送する或は時分割に伝送する伝送モード下で、前記UL CCのタイプ1 PHを計算するための物理チャネルの最大出力パワーを報告することを含むことを特徴としてもよい。
【００１０】
前記方法は更に、
前記UEがアクティブ化されたUL CCの特定のPH、及びアクティブ化されたUL CCの物理チャネルの特定の最大出力パワーを同じPHRにカプセル化してeNBに報告するステップは、前記UEがすべてのアクティブ化されたUL CCにおけるデータスケジューリングがある物理チャネルの最大出力パワーを報告することを含むことを特徴としてもよい。
【００１１】
前記方法は更に、
前記UL CCが所在するセルはプライマリセルとセコンダリセルを含み、
前記UEがデータスケジューリングがあるUL CCの物理チャネルの最大出力パワーを報告するステップは、
前記UEはプライマリセル内にアクティブ化されたUL CCに対して、PUCCHとPUSCHが同時に伝送する伝送モード下で、もし前記UL CCにおいてPUSCH及び/又はPUCCHが存在すれば、前記UL CCのタイプ1 PHを計算するための物理チャネルの最大出力パワーと前記UL CCのタイプ2 PHを計算するための物理チャネルの最大出力パワーを報告し、PUCCHとPUSCHが時分割に伝送する伝送モード下で、もし前記UL CCにおいてPUSCHが存在すれば、前記UL CCのタイプ1 PHを計算するための物理チャネルの最大出力パワーを報告し、
前記UEはセコンダリセル内にアクティブ化されたUL CCに対して、PUCCHとPUSCHが同時に伝送する或は時分割に伝送する伝送モード下で、もし前記UL CCにおいてPUSCHが存在すれば、前記UL CCのタイプ1 PHを計算するための物理チャネルの最大出力パワーを報告することを含むことを特徴としてもよい。
【００１２】
前記方法は更に、
前記UL CCが所在するセルはプライマリセルとセコンダリセルを含み、
前記UEがデータスケジューリングがあるUL CCの物理チャネルの最大出力パワーを報告するステップは、
前記UEはプライマリセル内にアクティブ化されたUL CCに対して、PUCCHとPUSCHが同時に伝送する伝送モード下で、もし前記UL CCにおいてPUSCHとPUCCHが存在すれば、前記UL CCのタイプ1 PHを計算するための物理チャネルの最大出力パワーと前記UL CCのタイプ2 PHを計算するための物理チャネルの最大出力パワーを報告し、もし前記UL CCにおいてPUSCH伝送のみがあれば、前記UL CCのタイプ1 PHを計算するための物理チャネルの最大出力パワーのみを報告し、もし前記UL CCにおいてPUCCH伝送のみがあれば、前記UL CCのタイプ2 PHを計算するための物理チャネルの最大出力パワーのみを報告し、PUCCHとPUSCHが時分割に伝送する伝送モード下で、もし前記UL CCにおいてPUSCHが存在すれば、前記UL CCのタイプ1 PHを計算するための物理チャネルの最大出力パワーを報告し、
前記UEはセコンダリセル内にアクティブ化されたUL CCに対して、PUCCHとPUSCHが同時に伝送する或は時分割に伝送する伝送モード下で、前記UL CCにおいてPUSCHが存在すれば、前記UL CCのタイプ1 PHを計算するための物理チャネルの最大出力パワーを報告することを含むことを特徴としてもよい。
【００１３】
前記方法は更に、
前記UEはアクティブ化されたUL CCの特定のPH及びアクティブ化されたUL CCの物理チャネルの特定の最大出力パワーを同じPHRにカプセル化してeNBに報告するステップは、前記UEが前記PHRをカプセル化する時、それぞれに各UL CCの物理チャネルの特定の最大出力パワーを前記各UL CCの特定のPHの後にアプセル化することを含むことを特徴としてもよい。
【００１４】
前記方法は、
前記UEは更に前記PHRにおいてセル状態の指示情報がカプセル化され、プライマリセルの伝送モード、及び/又はセコンダリセルがアクティブ状態にあるかどうかを指示することに用いられ、
前記伝送モードはPUCCHとPUSCHとの同時伝送モード及びPUCCHとPUSCHとの時分割伝送モードを含むことを更に含む。
【００１５】
本発明は更にキャリアアグリゲーションシナリオに用いられるキャリアの最大パワーの報告装置を提供し、それは処理モジュールと送信モジュールを含み、
前記処理モジュールはアクティブ化されたアップリンクコンポーネントキャリア（UL CC）の特定のパワーヘッドルーム（PH）及びアクティブ化されたUL CCの物理チャネルの特定の最大出力パワーを同じパワーヘッドルーム報告（PHR）にカプセル化するように設置され、
前記送信モジュールは前記PHRを送信するように設置される。
【００１６】
前記装置は更に、
前記処理モジュールはすべてのアクティブ化されたUL CCの物理チャネルの特定の最大出力パワーを前記PHRにカプセル化するように設置されることを特徴としてもよい。
【００１７】
前記装置は更に、
前記UL CCが所在するセルはプライマリセルとセコンダリセルを含み、
前記処理モジュールは以下の方式ですべてのアクティブ化されたUL CCの物理チャネルの特定の最大出力パワーを前記PHRにカプセル化するように設置され、
プライマリセル内にアクティブ化されたUL CCに対して、物理アップリンク制御チャネル（PUCCH）と物理アップリンク共有チャネル（PUSCH）が同時に伝送する伝送モード下で、前記UL CCのタイプ1 PHを計算するための物理チャネルの最大出力パワーと前記UL CCのタイプ2 PHを計算するための物理チャネルの最大出力パワーを前記PHRにカプセル化し、PUCCHとPUSCHが時分割に伝送する伝送モード下で、前記UL CCのタイプ1PHを計算するための物理チャネルの最大出力パワーを前記PHRにカプセル化し、
セコンダリセル内にアクティブ化されたUL CCに対して、PUCCHとPUSCHが同時に伝送する或は時分割に伝送する伝送モード下で、前記UL CCのタイプ1PHを計算するための物理チャネルの最大出力パワーを前記PHRにカプセル化することを特徴としてもよい。
【００１８】
前記装置は更に、
前記処理モジュールはすべてのアクティブ化されたUL CCにおけるデータスケジューリングがある物理チャネルの最大出力パワーを前記PHRにカプセル化するように設置されることを特徴としてもよい。
【００１９】
前記装置は更に、
前記UL CCが所在するセルはプライマリセルとセコンダリセルを含み、
前記処理モジュールは以下の方式ですべてのアクティブ化されたUL CCにおけるデータスケジューリングがある物理チャネルの最大出力パワーを前記PHRにカプセル化するように設置され、
プライマリセル内にアクティブ化されたUL CCに対して、PUCCHとPUSCHが同時に伝送する伝送モード下で、もし前記UL CCにおいてPUSCH及び/又はPUCCHが存在すれば、前記UL CCのタイプ1 PHを計算するための物理チャネルの最大出力パワーと前記UL CCのタイプ2 PHを計算するための物理チャネルの最大出力パワーを前記PHRにカプセル化し、PUCCHとPUSCHが時分割に伝送する伝送モード下で、もし前記UL CCにおいてPUSCHが存在すれば、前記UL CCのタイプ1 PHを計算するための物理チャネルの最大出力パワーを前記PHRにカプセル化し、
セコンダリセル内にアクティブ化されたUL CCに対して、PUCCHとPUSCHが同時に伝送する或は時分割に伝送する伝送モード下で、もし前記UL CCにおいてPUSCHが存在すれば、前記UL CCのタイプ1 PHを計算するための物理チャネルの最大出力パワーを前記PHRにカプセル化することを特徴としてもよい。
【００２０】
前記装置は更に、
前記UL CCが所在するセルはプライマリセルとセコンダリセルを含み、
前記処理モジュールは以下の方式で、すべてのアクティブ化されたUL CCにおけるデータスケジューリングがある物理チャネルの最大出力パワーを前記PHRにカプセル化するように設置され、
プライマリセル内にアクティブ化されたUL CCに対して、PUCCHとPUSCHが同時に伝送する伝送モード下で、もし前記UL CCにおいてPUSCHとPUCCHが存在すれば、前記UL CCのタイプ1のPHを計算するための物理チャネルの最大出力パワーと前記UL CCのタイプ2 PHを計算するための物理チャネルの最大出力パワーを前記PHRにカプセル化し、もし前記UL CCにおいてPUSCH伝送のみがあれば、前記UL CCのタイプ1 PHを計算するための物理チャネルの最大出力パワーを前記PHRにカプセル化し、もし前記UL CCにおいてPUCCHのみがあれば、前記UL CCのタイプ2 PHを計算するための物理チャネルの最大出力パワーを前記PHRにカプセル化し、PUCCHとPUSCHが時分割に伝送する伝送モード下で、もし前記UL CCにおいてPUSCHが存在すれば、前記UL CCのタイプ1 PHを計算するための物理チャネルの最大出力パワーを前記PHRにカプセル化し、
前記UEはセコンダリセル内にアクティブ化されたUL CCに対して、PUCCHとPUSCHが同時に伝送する或は時分割に伝送する伝送モード下で、もし前記UL CCにおいてPUSCHが存在すれば、カプセル化されたものは前記UL CCのタイプ1 PHを計算するための物理チャネルの最大出力パワーであることを特徴としてもよい。
【００２１】
前記装置は更に、
前記処理モジュールは前記PHRをカプセル化する時、それぞれに各UL CCの物理チャネルの特定の最大出力パワーを前記各UL CCの特定のPHの後にカプセル化するように設置されることを特徴としてもよい。
【００２２】
前記装置は更に、
前記処理モジュールは更に前記PHRにおいてセル状態の指示情報がカプセル化され、プライマリセルの伝送モード、及び/又はセコンダリセルがアクティブ化状態にあるかどうかを指示することに用いられるように設置され、
前記伝送モードはPUCCHとPUSCHが同時に伝送するモード及びPUCCHとPUSCHが時分割に伝送するモードを含むことを特徴としてもよい。
前記キャリアアグリゲーションシナリオに用いられるキャリアの最大パワーの報告方法及び装置はeNBにタイムリーにUEのパワー状況を知らせるようにする。
【図面の簡単な説明】
【００２３】
【図１】本発明による応用例一のキャリアアグリゲーションシナリオに用いられるキャリアの最大パワーの報告方法の模式図である。
【図２】本発明による応用例二のキャリアアグリゲーションシナリオに用いられるキャリアの最大パワーの報告方法の模式図である。
【図３】本発明による応用例三のキャリアアグリゲーションシナリオに用いられるキャリアの最大パワーの報告方法の模式図である。
【図４】本発明による応用例四のキャリアアグリゲーションシナリオに用いられるキャリアの最大パワーの報告方法の模式図である。
【図５】本発明による応用例五のキャリアアグリゲーションシナリオに用いられるキャリアの最大パワーの報告方法の模式図である。
【図６】本発明による応用例六のキャリアアグリゲーションシナリオに用いられるキャリアの最大パワーの報告方法の模式図である。
【発明を実施するための形態】
【００２４】
本発明による実施形態はキャリアアグリゲーションシナリオに用いられるキャリアの最大パワーの報告方法を提供する。ユーザー設備（UE）はアクティブ化されたアップリンクコンポーネントキャリア（UL CC）の特定のヘッドルームPH(s)（PHが一つでもよく、複数でもよい）、及びアクティブ化されたUL CCの物理チャネルの特定の最大出力パワーを同じヘッドルーム報告（PHR）にカプセル化して基地局（eNB）に報告する。即ち、UL CCの特定のPH(s)を報告するとともに、UL CCの物理チャネルの特定の最大出力パワーを報告する。
【００２５】
各々UL CCはそれぞれのPH(s)を有し、各々PHがそれぞれの最大出力パワーを有し、物理チャネルの特定の最大出力パワーとは上記PHの最大出力パワーの存在が物理チャネルの存在と一々に対応することを指す。
【００２６】
UL CCが所在するセルはプライマリセルとセコンダリセルを含み、且つプライマリ／セコンダリセルは異なる機能を有し、プライマリセルに位置するUL CCとセコンダリセルに位置するUL CCが報告したPHも異なることに基づいて、本発明の実施形態はここでは以下通りの解決案を提供する。
【００２７】
実施例一
前記UEはすべてのアクティブ化されたUL CCの物理チャネルの特定の最大出力パワーを報告する。具体的な実現案は以下の通りであることができる。
【００２８】
前記UEはプライマリセル内においてアクティブ化されたUL CCに対して、PUCCHとPUSCHが同時に伝送する伝送モード下で、前記UL CCのタイプ1 PHを計算するための物理チャネルの最大出力パワーと前記UL CCのタイプ2 PHを計算するための物理チャネルの最大出力パワーを報告し、PUCCHとPUSCHが時分割に伝送する伝送モード下で、前記UL CCのタイプ1 PHを計算するための物理チャネルの最大出力パワーを報告する。
【００２９】
前記UEはセコンダリセル内においてアクティブ化されたUL CCに対して、PUCCHとPUSCHが同時に伝送する或は時分割に伝送する伝送モード下で、前記UL CCのタイプ1 PHを計算するための物理チャネルの最大出力パワーを報告する。
【００３０】
実施例二
前記UEが報告したのはすべてのアクティブ化されたUL CCにおけるデータスケジューリングがある物理チャネルの最大出力パワーである。具体的な実現案は以下の通りであることができる。
【００３１】
前記UEはプライマリセル内においてアクティブ化されたUL CCに対して、PUCCHとPUSCHが同時に伝送する伝送モード下で、もし前記UL CCにおいてPUSCH及び/又はPUCCHが存在すれば、前記UL CCのタイプ1 PHを計算するための物理チャネルの最大出力パワーと前記UL CCのタイプ2のPHを計算するための物理チャネルの最大出力パワーを報告し、PUCCHとPUSCHが時分割に伝送する伝送モード下で、もし前記UL CCにおいてPUSCHが存在すれば、前記UL CCのタイプ1 PHを計算するための物理チャネルの最大出力パワーを報告する。
【００３２】
前記UEはセコンダリセル内においてアクティブ化されたUL CCに対して、PUCCHとPUSCHが同時に伝送する或は時分割に伝送する伝送モード下で、もし前記UL CCにおいてPUSCHが存在すれば、前記UL CCのタイプ1のPHを計算するための物理チャネルの最大出力パワーを報告する。
【００３３】
実施例三
前記UEが報告したのはすべてのアクティブ化されたUL CCにおけるデータスケジューリングがある物理チャネルの最大出力パワーである。具体的な実現案は以下の通りであることができる。
【００３４】
前記UEはプライマリセル内においてアクティブ化されたUL CCに対して、PUCCHとPUSCHが同時に伝送する伝送モード下で、もし前記UL CCにおいてPUSCHとPUCCHが存在すれば、前記UL CCのタイプ1 PHを計算するための物理チャネルの最大出力パワーと前記UL CCのタイプ2 PHを計算するための物理チャネルの最大出力パワーを報告し、もし前記UL CCにおいてPUSCH伝送のみがあれば、前記UL CCのタイプ1 PHを計算するための物理チャネルの最大出力パワーだけ報告し、もし前記UL CCにおいてPUCCH伝送のみがあれば、前記UL CCのタイプ2 PHを計算するための物理チャネルの最大出力パワーのみを報告し、PUCCHとPUSCHが時分割に伝送する伝送モード下で、もし前記UL CCにおいてPUSCHが存在すれば、前記UL CCのタイプ1のPHを計算するための物理チャネルの最大出力パワーを報告する。
【００３５】
前記UEはセコンダリセル内にアクティブ化されたUL CCに対して、PUCCHとPUSCHが同時に伝送する或は時分割に伝送する伝送モード下で、もし前記UL CCにおいてPUSCHが存在すれば、前記UL CCのタイプ1 PHを計算するための物理チャネルの最大出力パワーを報告する。
【００３６】
第三の実施例と第二の実施例の区別は、もし前記UL CCにおいてPUSCH伝送のみがあれば、前記UL CCのタイプ1 PHを計算するための物理チャネルの最大出力パワーのみを報告し、前記UL CCのタイプ2 PHを計算するための物理チャネルの最大出力パワーを報告しないことにある。即ち、前記UL CCのタイプ1 PHを計算するための物理チャネルの最大出力パワーを前記UL CCのタイプ2 PHを計算するための物理チャネルの最大出力パワーとしてデフォルトにして使用でき、即ち両者が同等することをデフォルトにする。同じ理由で、もし前記UL CCにおいてPUCCH伝送のみがあれば、前記UL CCのタイプ2 PHを計算するための物理チャネルの最大出力パワーのみを報告し、前記UL CCのタイプ1 PHを計算するための物理チャネルの最大出力パワーを報告しない。即ち、前記UL CCのタイプ2 PHを計算するための物理チャネルの最大出力パワーを前記UL CCのタイプ1 PHを計算するための物理チャネルの最大出力パワーとしてデフォルトにして使用でき、即ち両者が同等することをデフォルトにする。
【００３７】
実施例四
前記UEは前記PHRをカプセル化する時、それぞれに各UL CCの物理チャネルの特定の最大出力パワーを前記各UL CCの特定のヘッドルームPH(s)の後にアプセル化してもよい。それにより、いかなる指示情報にも不要で、PHRにおいて報告した物理チャネルの特定の最大出力パワーがどれのCCであるかを知ることができる。例えば、報告する必要となるCC1のPH及びその物理チャネルの最大出力パワーをPH1 CC1、Pcmax,c1とし、及び報告する必要となるCC2のPH及びその物理チャネルの最大出力パワーをPH1 CC2、Pcmax,c2とする。そこで、PHRをカプセル化する時、相応的に、カプセル化の順序はPH1 CC1、Pcmax,c1、PH1 CC2、Pcmax,c2となることが可能である。即ち、CC1のPHの後はCC1の物理チャネルの特定の最大出力パワーである。
【００３８】
実施例五
前記UEは前記PHRにおいてセル状態の指示情報がカプセル化され、プライマリセルの伝送モード、及び/又はセコンダリセルがアクティブ化された状態にあるかどうかを指示することに用いられる。前記伝送モードはPUCCHとPUSCHが同時に伝送するモード及びPUCCHとPUSCHが時分割に伝送するモードを含む。
【００３９】
詳しく説明するために、本発明による実施例は指示方式の例を提供し、前記PHR中の一番目のバイトの五つビットでそれぞれにセル1、セル2、セル3、セル4、セル5の状態を指示してもよい。その中に、セル1はプライマリセルであり、他のセルはセコンダリセルである。セル1が対応するビットは0であれば、セル1の伝送モードがPUCCHとPUSCHが時分割に伝送するモードであることを表し、セル1が対応するビットは1であれば、セル1の伝送モードがPUCCHとPUSCHが同時に伝送するモードであると表す。セル2、3、4、5が対応するビットは0であれば、セルが非アクティブ化状態にあることを表し、1であれば、セルがアクティブ化状態にあることを表す。セルがアクティブ化状態にあれば、セル内におけるCCもアクティブ化状態にある。
【００４０】
当然に、当業者は需要に応じて、上記実施例に記載された技術的特徴を任意に組み合わせることができ、例えば実施例一と実施例四、五との組み合わせることができる。
【００４１】
よりよく本発明による実施案を説明するために、以下、ある具体的な応用例を用いて説明する。
【００４２】
応用例一
UEはUL CC1とUL CC5との二つのUL CCをアクティブ化した。その中に、UL CC1は表しPcellであり、UL CC5はScellである。本応用例は実施例一に記載された前記報告方式を採用する。
【００４３】
PH1 CC1はUL CC1のtype1 PHであり、PH2 CC1はUL CC1のtype2 PHである。Pcmax,c1 CC1は前記UL CC1のタイプ1 PHを計算するための物理チャネルの最大出力パワーである。Pcmax,c2 CC1は前記UL CC1のタイプ2 PHを計算するための物理チャネルの最大出力パワーである。UL CC1においてPUCCHのみがある時、UL CC1のPUCCHによって、Pcmax,c1 CC1とPcmax,c2 CC1を計算する。リファレンス PUSCHとPcmax,c1 CC1によって、PH1 CC1を計算し、リファレンス PUSCH、リアルPUCCHとPcmax,c2 CC1によって、PH2 CC1を計算する。
【００４４】
UL CC5において実際にPUSCHをスケジューリングしていなく、UL CC5は他のCCのPUCCHとPUSCHによってPcmax,c CC5を計算し、本応用例において、CC1のPUCCHとPUSCHによってPcmax,c CC5を計算することを指す。PH1 CC5はUL CC5のtype1 PHである。PH1 CC5はリファレンス PUSCHとPcmax,c CC5によって計算して得られるものである。
【００４５】
図1を参考しながら、報告方式はPH1 CC1、Pcmax,c1 CC1、PH2 CC1、Pcmax,c2 CC1、PH1 CC5、Pcmax,c CC5を順序にPHR中にカプセル化し、且つPHRにおける一番目のフィールド中の後からの五つビットでそれぞれにセル1、セル2、セル3、セル4、セル5の状態を指示することである。セル1はプライマリセルであり、他のセルがセコンダリセルである。セル1が対応するビットは1であれば、セル1の伝送モードはPUCCHとPUSCHが同時に伝送するモードであることを指示する。セル5が対応するビットは1であれば、セル5がアクティブ化されることを指示する。
【００４６】
応用例二
UEはUL CC1とUL CC5との二つのUL CCをアクティブ化した。その中に、UL CC1はPcellであり、UL CC5はScellである。UL CC1においてPUCCH及び/又はPUSCHがある。UL CC5において、実際にPUSCHをスケジューリングしていない。本応用例は実施例二に記載された報告方式を採用する。
【００４７】
UEはPcellのPcmax,c1 CC1とPcmax,c2 CC1を計算する。もしPcellのUL CCはPUSCHのみがあれば、PUSCHとPcmax,c1 CC1によって、UL CC1のtype1 PH、即ちPH1 CC1を計算し、PUSCHとリファレンス PUCCHとPcmax,c2 CC1によって、UL CC1のtype2 PH、即ちPH2 CC1を計算する。PUCCHのみがあれば、リファレンス PUSCHとPcmax,c1 CC1によって、UL CC1のtype1 PH 、即ちPH1 CC1を計算し、リファレンス PUSCH、PUCCHとPcmax,c2 CC1によって、UL CC1のtype2 PH、即ちPH2 CC1を計算する。PUSCHがある上に、PUCCHもあれば、PUSCHとPcmax,c1 CC1によって、UL CC1のtype1 PH、即ちPH1 CC1を計算し、PUSCH、PUCCHとPcmax,c2 CC1によってUL CC1のtype2 PH、即ちPH2 CC1を計算する。
【００４８】
UL CC5においてPUSCHを実際にスケジューリングしていなく、UL CC5の物理チャネルの特定の最大出力パワーPcmax,c CC5を報告しない。
【００４９】
図2を参考しながら、報告方式はPH1 CC1、Pcmax,c1 CC1、PH2 CC1、Pcmax,c2 CC1、PH1 CC5を順次にPHR中にカプセル化し、且つPHRにおける一番目のフィールド中の後からの五つビットでそれぞれにセル1、セル2、セル3、セル4、セル5の状態を指示することである。セル1はプライマリセルであり、他のセルはセコンダリセルである。セル1が対応するビットは1であれば、セル1が伝送するモードはPUCCHとPUSCHが同時に伝送するモードであることを指示する。セル5が対応するビットは1であれば、セル5がアクティブ化されたことを指示する。
【００５０】
応用例三
UEはUL CC1とUL CC5との二つのUL CCをアクティブ化した。その中に、UL CC1はPcellであり、UL CC5はScellである。PcellにおいてPUSCH伝送の以外に、PUCCH伝送もあり、Scellにおいて伝送がない。本応用例は実施例三に記載された報告方式を採用する。
【００５１】
UL CC1においてPUCCHとPUSCHがある時、UL CC1はPcmax,c1 CC1とPcmax,c2 CC1を報告する。
PH1 CC1はUL CC1のtype1 PHであり、PUSCHとPcmax,c1 CC1によって計算して得られるものである。PH2 CC1はUL CC1のtype2 PHであり、PUCCHとPUSCHとPcmax,c2 CC1によって計算して得られるものである。
UL CC5において実際にPUSCHをスケジューリングしていなく、そのtype1 PHはリファレンス PUSCHによって計算して得られ、UL CC5の物理チャネルの特定の最大出力パワーPcmax,c CC5を報告しない。
【００５２】
図3を参考しながら、報告方式はPH1 CC1、Pcmax,c1 CC1、PH2 CC1、Pcmax,c2 CC1、PH1 CC5を順次にPHR中にカプセル化し、且つPHR中の一番目のフィールド中の後からの五つビットでそれぞれにセル1、セル2、セル3、セル4、セル5の状態を指示することである。セル1はプライマリセルであり、他のセルはセコンダリセルである。セル1が対応するビットは1であれば、セル1の伝送モードがPUCCHとPUSCHが同時に伝送するモードであることを指示する。セル5が対応するビットは1であれば、セル5がアクティブ化されることを指示する。
【００５３】
応用例四
UEはUL CC1とUL CC5との二つのUL CCをアクティブ化した。その中に、UL CC1はPcellであり、UL CC5はScellである。PcellにおいてPUSCH伝送のみがあり、Scellにおいて伝送がない。本応用例は実施例三に記載された報告方式を採用する。
【００５４】
UL CC1においてPUSCHのみがある時、UL CC1はPcmax,c1 CC1を報告する。
PH1 CC1はUL CC1のtype1 PHであり、PUSCHとPcmax,c1 CC1によって計算して得られるものである。PH2 CC1はUL CC1のtype2 PHであり、バーチャルリファレンスPUCCH、PUSCHとPcmax,c1 CC1によって計算して得られるものである。
【００５５】
UL CC5において、PUSCHを実際にスケジューリングしていなく、そのtype1 PHはリファレンス PUSCHによって計算して得られ、UL CC5の物理チャネルの特定の最大出力パワーPcmax,c CC5を報告しない。
【００５６】
図4を参考しながら、報告方式はPH1 CC1、Pcmax,c1 CC1、PH2 CC1、PH1 CC5を順次にPHR中にカプセル化し、且つPHR中の一番目のフィールド中の後からの五つビットでそれぞれにセル1、セル2、セル3、セル4、セル5の状態を指示することである。セル1はプライマリセルであり、他のセルはセコンダリセルである。セル1が対応するビットは1であれば、セル1の伝送モードがPUCCHとPUSCHが同時に伝送するモードであることを指示する。セル5が対応するビットは1であれば、セル5がアクティブ化されることを指示する。
【００５７】
応用例五
UEはUL CC1とUL CC5との二つのUL CCをアクティブ化した。その中に、UL CC1はPcellであり、UL CC5はScellである。PcellにおいてPUCCH伝送のみがあり、Scellにおいて伝送がない。本応用例は実施例三に記載された報告方式を採用する。
【００５８】
UL CC1においてPUCCHのみがある時、UL CC1はPcmax,c2 CC1を報告する。
PH1 CC1はUL CC1のtype1 PHであり、リファレンス PUSCHとPcmax,c2 CC1によって計算して得られるものである。PH2 CC1はUL CC1のtype2 PHであり、PUCCH、リファレンス PUSCHとPcmax,c2 CC1によって計算して得られるものである。
UL CC5において、PUSCHを実際にスケジューリングしていなく、そのtype1 PHはリファレンス PUSCHによって計算して得られ、UL CC5の物理チャネルの特定の最大出力パワーPcmax,c CC5を報告しない。
【００５９】
図5を参考しながら、報告方式はPH1 CC1、PH2 CC1、Pcmax,c2 CC1、PH1 CC5を順次にPHR中にカプセル化し、且つPHRにおける一番目のフィールド中の後からの五つビットでそれぞれにセル1、セル2、セル3、セル4、セル5の状態を指示することである。セル1はプライマリセルであり、他のセルはセコンダリセルである。セル1が対応するビットは1であれば、セル1の伝送モードがPUCCHとPUSCHが同時に伝送するモードであることを指示する。セル5が対応するビットは1であれば、セル5がアクティブ化されることを指示する。
【００６０】
応用例六
UEはUL CC1とUL CC5との二つのUL CCをアクティブ化した。その中に、UL CC1はPcellであり、UL CC5はScellである。Pcellにおいて伝送がなく、Scellにおいて伝送がある。本応用例は実施例三に記載された報告方式を採用する。
【００６１】
UL CC1において伝送がないと、UL CC1はPcmax,c CC1を報告しない。
PH1 CC1はUL CC1のtype1 PHであり、リファレンス PUSCHと公称最大パワーによって計算して得られ、前記公称最大パワーはUEとeNBがそれぞれに出した該セルの最大パワーにおける比較的に小さいものであり、それが定数である。 
【００６２】
PH1 CC2はUL CC2のtype1の PHであり、リファレンス PUSCH、リファレンスPUCCHと公称最大パワーによって計算して得られるものである。
【００６３】
UL CC5において、実際にPUSCHをスケジューリングし、そのtype1 PHはPUSCHによって計算して得られ、且つPcmax,c CC5を報告する。
【００６４】
図6を参考しながら、報告方式はPH1 CC1、PH2 CC1、PH1 CC5、Pcmax,c CC5を順次にPHR中にカプセル化し、PHR中の一番目のフィールド中の後からの五つビットでそれぞれにセル1、セル2、セル3、セル4、セル5の状態を指示することである。セル1はプライマリセルであり、他のセルはセコンダリセルである。セル1が対応するビットは1であれば、セル1の伝送モードがPUCCHとPUSCHが同時に伝送するモードであることを指示する。セル5が対応するビットは1であれば、セル5がアクティブ化されることを指示する。
【００６５】
上記方法を実現するために、本発明は更にキャリアアグリゲーションシナリオに用いられるキャリアの最大パワーの報告装置を提供し、処理モジュールと送信モジュールを含み、その中に、
前記処理モジュールはアクティブ化されたアップリンクコンポーネントキャリアUL CCの特定のヘッドルームPH(s)及びアクティブ化されたUL CCの物理チャネルの特定の最大出力パワーを同じヘッドルーム報告PHRにカプセル化するように設置され、前記送信モジュールは前記PHRを送信するように設置される。
【００６６】
上記装置を採用し、UL CCの特定のPH(s)を報告するとともに、UL CCの物理チャネルの特定の最大出力パワーを報告する。
【００６７】
UL CCが所在するセルはプライマリセルとセコンダリセルを含み、且つプライマリ／セコンダリセルが異なる機能を有し、プライマリセルに位置するUL CCとセコンダリセルに位置するUL CCが報告したPHも異なることを考慮した上に、下記の具体的な解決案を好適に提供する。
【００６８】
一つの実施例において、前記処理モジュールがカプセル化したUL CCの物理チャネルの特定の最大出力パワーはすべてのアクティブ化されたUL CCの物理チャネルの特定の最大出力パワーである。
【００６９】
具体的な実現において、前記処理モジュールがカプセル化したUL CCの物理チャネルの特定の最大出力パワーは以下通りの内容を含む。
【００７０】
プライマリセル内においてアクティブ化されたUL CCに対して、物理アップリンク制御チャネルPUCCHと物理アップリンク共有チャネルPUSCHとが同時に伝送する伝送モード下で、カプセル化したのは前記UL CCのタイプ1 PHを計算するための物理チャネルの最大出力パワーと前記UL CCのタイプ2 PHを計算するための物理チャネルの最大出力パワーであり、PUCCHとPUSCHが時分割に伝送する伝送モード下で、カプセル化したのは前記UL CCのタイプ1 PHを計算するための物理チャネルの最大出力パワーであり、
セコンダリセル内においてアクティブ化されたUL CCに対して、PUCCHとPUSCHが同時に伝送する或は時分割に伝送する伝送モード下で、カプセル化したのは前記UL CCを計算するためのタイプ1 PHの物理チャネルの最大出力パワーである。
【００７１】
もう一つの実施例において、前記処理モジュールがカプセル化したUL CCの物理チャネルの特定の最大出力パワーはすべてのアクティブ化したUL CCにおけるデータスケジューリングがある物理チャネルの最大出力パワーである。
【００７２】
具体的な実現において、前記処理モジュールがカプセル化したUL CCの物理チャネルの特定の最大出力パワーは以下通りの内容を含んでもよい。
【００７３】
プライマリセル内においてアクティブ化されたUL CCに対して、PUCCHとPUSCHが同時に伝送する伝送モード下で、もし前記UL CCにおいてPUSCH及び/又はPUCCHが存在すれば、カプセル化したのが前記UL CCのタイプ1 PHを計算するための物理チャネルの最大出力パワーと前記UL CCのタイプ2 PHを計算するための物理チャネルの最大出力パワーであり、PUCCHとPUSCHが時分割に伝送する伝送モード下で、もし前記UL CCにおいてPUSCHが存在すれば、カプセル化したのが前記UL CCのタイプ1 PHを計算するための物理チャネルの最大出力パワーであり、
セコンダリセル内においてアクティブ化されたUL CCに対して、PUCCHとPUSCHが同時に伝送する或は時分割に伝送する伝送モード下で、もし前記UL CCにおいてPUSCHが存在すれば、カプセル化したのが上記UL CCのタイプ1 PHを計算するための物理チャネルの最大出力パワーである。
【００７４】
また一つの実施例において、前記処理モジュールがカプセル化したUL CCの物理チャネルの特定の最大出力パワーはすべてのアクティブ化されたUL CCにおけるデータスケジューリングがある物理チャネルの最大出力パワーである。
【００７５】
具体的な実現において、前記処理モジュールがカプセル化したUL CCの物理チャネルの特定の最大出力パワーは以下通りの内容を含んでもよい。
【００７６】
プライマリセル内においてアクティブ化されたUL CCに対して、PUCCHとPUSCHが同時に伝送する伝送モード下で、もし前記UL CCにおいてPUSCHとPUCCHが存在すれば、カプセル化したのが前記UL CCのタイプ1 PHを計算するための物理チャネルの最大出力パワーと前記UL CCのタイプ2 PHを計算するための物理チャネルの最大出力パワーであり、もし前記UL CCにおいてPUSCH伝送のみがあれば、カプセル化したのが前記UL CCのタイプ1 PHを計算するための物理チャネルの最大出力パワーであり、もし前記UL CCにおいてPUCCH伝送のみがあれば、カプセル化したのが前記UL CCのタイプ2 PHを計算するための物理チャネルの最大出力パワーであり、PUCCHとPUSCHが時分割に伝送する伝送モード下で、もし前記UL CCにおいてPUSCHが存在すれば、カプセル化したのが前記UL CCのタイプ1 PHを計算するための物理チャネルの最大出力パワーであり、
前記UEはセコンダリセル内にアクティブ化されたUL CCに対して、PUCCHとPUSCHが同時に伝送する或は時分割に伝送する伝送モード下で、もし前記UL CCにおいてPUSCHが存在すれば、カプセル化したのが前記UL CCのタイプ1 PHを計算するための物理チャネルの最大出力パワーである。
【００７７】
前記処理モジュールは前記PHRをカプセル化する時に、各UL CCの物理チャネルの特定の最大出力パワーをそれぞれに前記各UL CCの特定のヘッドルームPH(s)の後にアプセル化することができるように設置されることは好ましい。
【００７８】
前記処理モジュールは更に前記PHRにおいてセル状態の指示情報がカプセル化され、プライマリセルの伝送モード、及び/又はセコンダリセルがアクティブ化状態にあるかどうかを指示することに用いられるように設置される。前記伝送モードはPUCCHとPUSCHが同時に伝送するモード及びPUCCHとPUSCHが時分割に伝送するモードを含むことは好ましい。
【００７９】
当業者は上記方法における全部或は部分的なステップがプログラムで関連するハードウェアを命令することにより、完成されることができ、前記プログラムが例えば読み出し専用メモリ、磁気ディスク或は光学ディスク等のコンピュータ読み取り可能な記憶メディアに記憶可能であることを理解できる。選択的に上記実施例における全部或は部分的なステップが1つ或は複数の集積回路を実現することもできる。それに応じて、上記実施例における各モジュール/ユニットはハードウェアの形式を採用して実現してもよく、ソフトウェアー機能モジュールの形式を採用して実現してもよい。本発明は如何なる特定の形式のハードウェアとソフトウェアーとの組み合わせにも限らないものである。
【００８０】
以上の内容は本発明の好適な実施例のみであり、本発明を制限することに用いられなく、当業者にとって、本発明は各種の修正と変更を行うことができ、いずれも本発明の保護範囲に含まれるべきである。
【産業上の利用可能性】
【００８１】
上記実施形態はeNBにタイムリーにUEのパワーの状況を知らせるようにする。
【図１】
0005544026.tif 000002
【図２】
0005544026.tif 000003
【図３】
0005544026.tif 000004
【図４】
0005544026.tif 000005
【図５】
0005544026.tif 000006
【図６】
0005544026.tif 000007